(57)【特許請求の範囲】
【請求項１】
取付対象に設置する計器に隣接して作業補助をする補助道具であって、
前記計器の取付面を被取付面に対面させる状態で固定するとともに該被取付面の背面側の固定面を前記取付対象に対面させる状態で固定するベース部材と、前記計器に隣接する隣接部材と、を備えており、
前記ベース部材は、前記被取付面および前記固定面の間の外面に、他の取付部材と共通利用可能に少なくとも１箇所以上で開口する穴形状の係合凹部が形成される一方、
前記隣接部材は、前記ベース部材の前記係合凹部の当該穴形状内に差し込む突起形状の係合凸部が前記他の取付部材と共通に形成されているとともに、前記計器の少なくとも一部に隣接して該計器に対する作業を補助する補助機能を有することを特徴とする補助道具。
【請求項２】
前記補助機能は、前記隣接部材が前記計器の少なくとも正面の一部に対面して覆う形状に透明材料で作製されることにより機能することを特徴とする請求項１に記載の補助道具。
【請求項３】
前記補助機能は、前記隣接部材が前記計器の電線を接続する接続端子部に少なくとも対面するとともに、当該電線の接続端子毎に対応する開口が形成されることにより機能することを特徴とする請求項１に記載の補助道具。
【請求項４】
前記補助機能は、前記隣接部材が前記計器の電線を接続する接続端子部に隣接するとともに当該電線の接続端子毎に対応して該電線を非導通状態に保持する仮保持部を有することにより機能することを特徴とする請求項１に記載の補助道具。
【請求項５】
前記係合凹部および前記係合凸部は、嵌め合い可能に同一形状に形成されているとともに、前記ベース部材および前記隣接部材の組み合わせ種別毎に異なる横断面形状に形成されていることを特徴とする請求項１乃至４のいずれかに記載の補助道具。
【発明の詳細な説明】
【技術分野】
【０００１】
本発明は、補助道具に関し、例えば、商用電源と設備との間に介在させる電力量計等のように、電力供給電線などの電線を接続する計器に対する作業を行う際に一時的に使用するものに関する。
【背景技術】
【０００２】
電気機器は、漏電や短絡等の事故が発生しないように絶縁性を確保する状態で設置されており、例えば、図３に示す電力量計（計器）１００は、屋外に設置する場合には、箱型の計器ケース内に収納することにより外面の全体を覆っている（例えば、特許文献１、２を参照）。
【０００３】
簡単に説明すると、電力量計１００は、商用電源と各戸の負荷装置（設備）との間に本体部１０１が介在するように電線を接続端子台１０２に接続するようになっており、その接続端子台１０２には、不用意に触れてしまわないように保護カバー１０３を取り付けるようになっている。この電力量計１００は、図４に示すように、保護カバー１０３を取り外した状態にして、商用電源側の一次側接続端子１１１〜１１３や負荷装置側の二次側接続端子１１５〜１１７に電線（電力供給電線）を接続・取外するようになっている。
【０００４】
また、電力量計１００は、例えば、図１４に示すように、計器ケース２００内に収容されて不用意に接触などしてしまうことを制限している。計器ケース２００は、電力量計１００を設置する家屋などの屋外の外壁（取付面）に固定するベース部材２１０と、このベース部材２１０に取り付けて電力量計１００の収容空間を形成するカバー部材２２０とで構成されている。この計器ケース２００は、ベース部材２１０の外周縁部２１１とカバー部材２２０の外周縁部２２１とが密接する状態に組み立てるようになっており、ベース部材２１０に設置した電力量計１００をカバー部材２２０で覆うように取り付けることで雨水などが浸入することがないようにする。なお、計器ケース２００は、ベース部材２１０にカバー部材２２０を取り付けた状態で不図示の封印具を固設することで無闇に開けられてしまうことを制限している。また、計器ケース２００は、内部の電力量計１００の本体部１０１を目視することができるように、カバー部材２２０の前面に窓２２２が設けられている。
【先行技術文献】
【特許文献】
【０００５】
【特許文献１】特開２０００−２３２２７５号公報
【特許文献２】特開２０００−２７０４２０号公報
【発明の概要】
【発明が解決しようとする課題】
【０００６】
しかしながら、この電力量計１００のような計器にあっては、電線を接続する際には、計器ケース２００のカバー部材２２０をベース部材２１０から外して本体部１０１を露出させるとともに、保護カバー１０３を外して接続端子台１０２を露出させた状態にして行なう。
【０００７】
このため、例えば、電線の接続作業時に接続端子台１０２内の接続端子１１１〜１１３、１１５〜１１７間を短絡させてしまうと、火花が作業者側に飛ぶなどして事故発生の要因になる可能性がある。
【０００８】
そこで、本発明は、計器に対する電線の接続作業などを行なう際に、その計器に隣接させて作業者が快適に作業できるように補助する補助道具を提供することを目的としている。
【課題を解決するための手段】
【０００９】
上記課題を解決する発明は、取付対象に設置する計器に隣接して作業補助をする補助道具であって、前記計器の取付面を被取付面に対面させる状態で固定するとともに該被取付面の背面側の固定面を前記取付対象に対面させる状態で固定するベース部材と、前記計器に隣接する隣接部材と、を備えており、前記ベース部材は、前記被取付面および前記固定面の間の外面に、他の取付部材と共通利用可能に少なくとも１箇所以上で開口する穴形状の係合凹部が形成される一方、前記隣接部材は、前記ベース部材の前記係合凹部の当該穴形状内に差し込む突起形状の係合凸部が前記他の取付部材と共通に形成されているとともに、前記計器の少なくとも一部に隣接して該計器に対する作業を補助する補助機能を有することを特徴とするものである。
【００１０】
この発明では、取付対象との間に挟む状態にして計器を固定するベース部材の穴形状の係合凹部内に、他の計器に対する取付部材と共通に備える、隣接部材の突起形状の係合凸部を差し込むだけで容易に組み立てた状態にすることができ、補助機能を有する隣接部材を隣接させて計器に対する作業を行なうことができる。したがって、隣接部材の補助機能を付与した状態で計器に対する作業を行なうことができる。
【発明の効果】
【００１１】
このように本発明によれば、計器に取り付ける他の取付部材を、隣接部材に取り換えて隣接させるだけで、その計器に対する作業を備える補助機能で補助することができる。したがって、隣接部材の補助機能を容易に利用して快適に計器に対する作業を行なうことができる。
【図面の簡単な説明】
【００１２】
【図１】本発明に係る補助道具の第１実施形態を示す図であり、その全体構成を示す分解斜視図である。
【図２】その補助道具の取付後の状態を示す斜視図である。
【図３】その補助道具を取り付ける計器の一例である電力量計を示す図であり、（ａ）はその正面図、（ｂ）はその側面図である。
【図４】その電力量計の接続端子部の接続端子の配列を示す平面図である。
【図５】その電力量計を収容する計器ケースの全体構成を示す分解斜視図である。
【図６】その計器ケースの組み立てを説明する図であり、（ａ）はその組み立て途中を示す斜視図、（ｂ）はその組み立て後を示す斜視図である。
【図７】本発明に係る補助道具の第２実施形態を示す図であり、その全体構成を示す分解斜視図である。
【図８】その要部の構造を示す拡大縦断面図である。
【図９】その補助道具の取付後の状態を示す斜視図である。
【図１０】本発明に係る補助道具の第３実施形態を示す図であり、その全体構成を示す分解斜視図である。
【図１１】その補助道具の取付後の状態を示す斜視図である。
【図１２】上述実施形態の図８に示す要部構造の他の態様を示す図であり、（ａ）はその拡大縦断面図、（ｂ）はその拡大横断面図である。
【図１３】その要部構造に電線を保持させた状態を示す図であり、（ａ）はその拡大縦断面図、（ｂ）はその拡大横断面図である。
【図１４】その電力量計の従来技術を示す図であり、（ａ）はその一部切欠き正面図、（ｂ）はその縦断側面図である。
【発明を実施するための形態】
【００１３】
取付対象に設置する計器に隣接して作業補助をする補助道具であって、前記計器の取付面を被取付面に対面させる状態で固定するとともに該被取付面の背面側の固定面を前記取付対象に対面させる状態で固定するベース部材と、前記計器に隣接する隣接部材と、を備えており、前記ベース部材は、前記被取付面および前記固定面の間の外面に、他の取付部材と共通利用可能に少なくとも１箇所以上で開口する穴形状の係合凹部が形成される一方、前記隣接部材は、前記ベース部材の前記係合凹部の当該穴形状内に差し込む突起形状の前記係合凸部が前記他の取付部材と共通に形成されているとともに、前記計器の少なくとも一部に隣接して該計器に対する作業を補助する補助機能を有することを基本構成とするのに加えて、次の構成を備えてもよい。
【００１４】
第１の形態としては、前記補助機能は、前記隣接部材が前記計器の少なくとも正面の一部に対面して覆う形状に透明材料で作製されることにより機能する。
【００１５】
この構成では、計器の外面の一部を覆う状態の隣接部材を通してその計器自体を目視することができる。したがって、作業ミスなどで火花などが計器から飛んできても、作業者に到達することはなく、作業者は安心して作業をすることができ、驚いて脚立などから落ちるような事故になることを未然に回避することができる。
【００１６】
第２の形態としては、前記補助機能は、前記隣接部材が前記計器の電線を接続する接続端子部に少なくとも対面するとともに、当該電線の接続端子毎に対応する開口が形成されることにより機能する。
【００１７】
この構成では、計器の接続端子部内の各接続端子毎の開口内にドライバなどの工具の先端を差し込んで作業する環境にすることができ、隣接する接続端子間に工具の先端が行ってしまうことを制限することができる。したがって、接続端子間を短絡させる作業ミスを防止することができ、電力線間を短絡させて停電等を発生させてしまう事故を未然に回避することができる。
【００１８】
第３の形態としては、前記補助機能は、前記隣接部材が前記計器の電線を接続する接続端子部に隣接するとともに当該電線の接続端子毎に対応して該電線を非導通状態に保持する仮保持部を有することにより機能する。
【００１９】
この構成では、計器の接続端子部に接続する電線を、仮保持部で接続端子毎に対応する非導通状態で保持することができる。したがって、電線間を短絡させることなく、また、接続位置を誤ることなく、電線を接続端子部の接続端子に接続することができ、また、非導通状態に保持する状態を維持することもできる。
【００２０】
第４の形態としては、前記係合凹部および前記係合凸部は、嵌め合い可能に同一形状に形成されているとともに、前記ベース部材および前記隣接部材の組み合わせ種別毎に異なる横断面形状に形成されている。
【００２１】
この構成では、異なる種別のベース部材に隣接部材を取り付けてしまうことを回避することができる。したがって、位置関係が対応していないなど不十分な状態で取り付けてしまうことを防止することができる。
【００２２】
以下、図面を参照して、本発明の実施形態について詳細に説明する。図１〜図６は本発明に係る補助道具の第１実施形態を示す図である。
【００２３】
図１において、計器カバー（補助道具）１、２は、図３に示す電力量計（計器）１００を内部に収納可能な図５に示す計器ケース１０のベース１１を共通部品として利用するように設計されている。
【００２４】
ここで、電力量計１００は、例えば、商用電源からの供給電力を消費する負荷装置を設備する各戸（各家庭）毎などに設置するものであり、商用電源と負荷装置の間に消費電力を積算する本体部１０１が介在することにより供給電力量に応じた課金などを可能にする。この電力量計１００は、図３および図４に示すように、商用電源側と負荷装置側からの各電力線を接続端子台（接続端子部）１０２の一次側となる接続端子１１１〜１１３や二次側となる接続端子１１５〜１１７に導通接続して、本体部１０１による供給電力の積算を可能にしている。なお、この電力量計１００は、接続端子台１０２に保護カバー１０３を取り付けることにより、接続端子１１１〜１１３、１１５〜１１７に不用意に触れて感電や短絡などの事故が発生することを防止している。
【００２５】
まず、部品を共通に設計されている計器ケース１０を説明する。計器ケース１０は、図５および図６に示すように、電力量計１００を内部に収納可能な箱型に設計されており、その電力量計１００の外面の全体を覆うことで屋外に設置することを実現する。
【００２６】
計器ケース１０は、電力量計１００を設置する家屋などの屋外の外壁（取付面）に固定して計器カバー１、２と共通部品となるベース（ベース部材）１１と、このベース１１に取り付けて電力量計１００を収容する空間を形成する２つ一組の側面カバー２１および多面カバー３１とで構成されており、ベース１１に側面カバー２１と多面カバー３１をそれぞれ組み付けることにより電力量計１００を内部に収容する。
【００２７】
ベース１１は、電力量計１００の背面（取付面）１００ｂよりも大き目の長方形で肉厚の板状ブロック形状に、例えば、絶縁性を有する樹脂材料により作製されている。このベース１１は、背面（固定面）１１ｂを前記外壁（取付対象）に対面させる状態に４本の固定ネジＮ１でネジ止め固定するとともに、正面（被取付面）１１ｆに電力量計１００の背面１００ｂを対面させる状態にして１本の取付ネジＮ２を不図示の引掛穴内に差し込んで引っ掛けることができるようになっている。このため、ベース１１は、前記外壁との間に挟まれる状態で電力量計１００を取付固定することができるようになっている。
【００２８】
側面カバー２１は、電力量計１００の左側面よりも大きめの長方形の薄肉板形状に、例えば、絶縁性を有する樹脂材料により作製されている。この側面カバー２１は、ベース１１の左側の側面１１ｓｌ側に端辺側を取り付けて電力量計１００の左側面に対面させるようになっている。
【００２９】
多面カバー３１は、電力量計１００の右側面よりも大きめの長方形の薄肉板形状の右側面部３２と、その正面よりも大き目の長方形の薄肉板形状の正面部３３と、その上面よりも大き目の長方形の薄肉板形状の上面部３４と、その下面よりも大き目の長方形の薄肉板形状の下面部３５とが、例えば、絶縁性を有する樹脂材料により一体になるように作製されている。この多面カバー３１は、ベース１１の右側の側面１１ｓｒ側に取り付けて電力量計１００の右側面と共に正面、上面、下面に対面する箱型になるように設計されている。ここで、この多面カバー３１は、右側面部３２が側面カバー２１と同一形状に形成されているのに対して、正面部３３、上面部３４および下面部３５がベース１１よりも幅広に形成されることにより、組み立てたときに側面カバー２１の周縁２１ａを正面部３３、上面部３４および下面部３５の端辺３３ａ、３４ａ、３５ａよりも内側に位置させて雨水が浸入する隙間が外面側に露出しないように形成されている。
【００３０】
このため、側面カバー２１および多面カバー３１は、ベース１１に取り付けることにより電力量計１００の外面の全体を覆う状態にして内部に収容する箱型に形成されているとともに、多面カバー３１側をベース１１から外すだけで電力量計１００の正面を容易に露出させて作業可能に開放することができる。なお、多面カバー３１の正面部３３には、内部の電力量計１００の本体部１０１を目視可能にする窓３３ｗが形成されている。
【００３１】
また、ベース１１には、左側面１１ｓｌと右側面１１ｓｒの側面（外面）間を貫通する貫通穴１２が上部および下部に形成されており、その貫通穴１２は、大きな大角柱空間部１２ａの外側（上側および下側）に小さな小角柱空間部１２ｂが連続することにより縦断面が概略Ｔ字形状になっている。すなわち、上部の貫通穴１２は天地が逆転する姿勢に形成されている。なお、貫通穴１２の小角柱空間部１２ｂは、ベース１１の上面１１ｔと下面１１ｕに溝形状で開口している。
【００３２】
一方、側面カバー２１には、ベース１１の貫通穴１２に対応する位置の端辺側に、縦断面形状がその貫通穴１２と同一形状になる差込棒２２が鉛直姿勢で立設されており、その差込棒２２は、大きな大角柱形状部２２ａの外側（上側および下側）に小さな小角柱形状部２２ｂが連続することにより縦断面が概略Ｔ字形状になっている。すなわち、上部の貫通穴１２と同様に、上部の差込棒２２は天地が逆転する姿勢に形成されている。
【００３３】
多面カバー３１にも、同様に、右側面部３２のベース１１の貫通穴１２に対応する位置の端辺側に、縦断面形状がその貫通穴１２と同一形状になる差込棒２２が鉛直姿勢で立設されており、その差込棒２２は、大きな大角柱形状部２２ａの外側（上側および下側）に小さな小角柱形状部２２ｂが連続することにより縦断面が概略Ｔ字形状になっている。
【００３４】
すなわち、ベース１１の貫通穴１２が穴形状の係合凹部を構成する一方、側面カバー２１および多面カバー３１の差込棒２２が突起形状の係合凸部を構成しており、側面カバー２１および多面カバー３１は、大角柱形状部２２ａの断面幅よりもかなり薄い肉厚に形成される一方、ベース１１は、大角柱形状部２２ａの断面幅よりも厚く側面カバー２１などよりも数倍の肉厚に形成されている。
【００３５】
そして、側面カバー２１および多面カバー３１は、ベース１１の貫通穴１２に差込棒２２を嵌め込んで互いに接近させる方向に移動させるだけで、多面カバー３１の右側面部３２、正面部３３、上面部３４および下面部３５のそれぞれの端辺３２ａ、３３ａ、３４ａ、３５ａ内に、側面カバー２１の周縁２１ａを密接する状態で位置させて電力量計１００を内部に収容する箱型にすることができる。また、ベース１１の貫通穴１２と側面カバー２１および多面カバー３１の差込棒２２は、異なる寸法・形状のものでは互いに嵌め合う状態になることがなく、異なる種別の計器用のものを組み合わせて隙間が形成されている状態になってしまうことを未然に防止することができる。
【００３６】
また、側面カバー２１および多面カバー３１の右側面部３２には、上部側の差込棒２２の上側でベース１１を固定する前記外壁に接する位置に、長方形の板形状に形成されている案内バー２５が鉛直姿勢で立設されており、案内バー２５は、背面２５ｂを前記外壁に面する状態で下面２５ｕをベース１１の上面１１ｔに摺接させる状態に位置決めすることで、差込棒２２を貫通穴１２内にスムーズに嵌入するように案内する。
【００３７】
また、側面カバー２１は、周縁２１ａの前面側に鉛直姿勢で外方に延在する延長片２７が形成されているとともに、多面カバー３１の正面部３３には、延長片２７に対応する位置を外方に延長されているロック片３７が形成されている。このロック片３７の先端側には、側面カバー２１の延長片２７側に屈折されている爪形状３８が形成されている。このため、側面カバー２１の周縁２１ａに多面カバー３１の正面部３３の端辺３３ａを突き当てる方向に移動させて箱型にする際には、爪形状３８が延長片２７を乗り越えてロック片３７を対面させる密接状態に係合ロックさせることができる構造になっている。なお、この延長片２７とロック片３７には、対面状態で開口位置が一致する取付穴２７ａ、３７ａが形成されており、係合ロックする状態にした後にその取付穴２７ａ、３７ａに紐を通して不用意に開けられないように封印する封印具２９を取り付けるようになっている。
【００３８】
したがって、側面カバー２１や多面カバー３１は、薄肉の板材料により作製されているのに対して、ベース１１は、側面カバー２１や多面カバー３１の大角柱形状部２２ａと小角柱形状部２２ｂからなる差込棒２２を差し込んで嵌め込むことができるように、大角柱空間部１２ａと小角柱空間部１２ｂからなる貫通穴１２が両側面１１ｓｌ、１１ｓｒに開口しており、側面カバー２１や多面カバー３１の数倍の肉厚の板状ブロック形状に作製されることになる。
【００３９】
このため、ベース１１は、機械的強度が側面カバー２１や多面カバー３１よりも大きくされており、計器ケース１０に衝撃が加えられるとしても、ベース１１が損傷することなく、側面カバー２１や多面カバー３１が損傷することで、その衝撃を吸収することができ、ベース１１や電力量計１００をそのままにした状態で側面カバー２１や多面カバー３１を交換して復旧することができる。
【００４０】
また、この計器ケース１０では、ベース１１を固定する固定ネジＮ１や電力量計１００を取り付ける取付ネジＮ２は側面カバー２１や多面カバー３１で囲まれて雨水や外気などに晒されている状態にないので、腐食などしてしまうことはなく、経時劣化によるメンテナンス期間を長期化することができる。
【００４１】
次に、このような計器ケース１０のベース１１を共通部品として利用する計器カバー１、２を図１および図２に戻って説明する。
【００４２】
計器カバー１は、計器ケース１０と同様に、ベース１１と、多面カバー４１とで構成されている。多面カバー４１は、計器ケース１０の多面カバー３１の中間部から上側と同様な構造に設計されており、電力量計１００の本体部１０１（接続端子台１０２の上側）の右側面に対面する薄肉板形状の右側面部４２と、同様にその本体部１０１の正面に対面する薄肉板形状の正面部（隣接部材）４３と、その上面に対面する薄肉板形状の上面部４４とが、例えば、絶縁性を有する透明な樹脂材料により一体になるように作製されている。この計器カバー１の多面カバー４１には、計器ケース１０の多面カバー３１と同様に、右側面部４２の内面上部にベース１１の右側面１１ｓｒ上部の貫通穴１２に差し込む差込棒２２が鉛直姿勢で立設されている。
【００４３】
このため、計器カバー１は、多面カバー４１をベース１１に右側から取り付けることにより少なくとも電力量計１００の本体部１０１の正面を正面部４３が対面して覆う状態に隣接させることができ、その本体部１０１を目視可能な状態を確保しつつ、電力量計１００に対する作業を行なう作業者との間に介在することができる。
【００４４】
一方、計器カバー２は、同様に、ベース１１と、端子カバー５１とで構成されている。端子カバー５１は、電力量計１００の接続端子台１０２の左側面に対面する薄肉板形状の左側面部５２と、その接続端子台１０２の正面に対面する薄肉板形状の正面部（隣接部材）５３とが、例えば、絶縁性を有する樹脂材料により一体になるように作製されている。この計器カバー２の端子カバー５１には、計器ケース１０の側面カバー２１と同様に、左側面部５２の内面にベース１１の左側面１１ｓｌ下部の貫通穴１２に差し込む差込棒２２が鉛直姿勢で立設されている。
【００４５】
さらに、この端子カバー５１の正面部５３には、電力量計１００の接続端子台１０２の接続端子１１１〜１１３、１１５〜１１７に対面するそれぞれの領域がドライバなどの工具を差込可能に開口する開口部６１〜６３、６５〜６７が形成されている。
【００４６】
このため、計器カバー２は、端子カバー５１をベース１１に左側から取り付けることにより電力量計１００の接続端子部１０２に正面部５３が対面して覆う状態に隣接させることができ、その接続端子部１０２の接続端子１１１〜１１３、１１５〜１１７毎に正面部５３の開口部６１〜６３、６５〜６７が開口する状態にすることができる。この結果、計器カバー２は、接続端子部１０２の接続端子１１１〜１１３、１１５〜１１７毎に正面部５３の開口部６１〜６３、６５〜６７からドライバなどの工具を差し込んで作業することができる。これと同時に、計器カバー２は、正面部５３の開口部６１〜６３、６５〜６７が接続端子１１１〜１１３、１１５〜１１７に工具が跨る状態で差し込まれて接触することを制限することができ、接続端子１１１〜１１３、１１５〜１１７間を短絡させるなどしてしまうことを未然に回避することができる。
【００４７】
また、計器カバー２の端子カバー５１は、左側面部５２が計器カバー１の正面部４３の右側面部４２の反対側の端辺４３ａまで延長されており、その延長部５２ａに差込穴５９が開口している。これに対して、計器カバー１の多面カバー４１の正面部４３の端辺４３ａには、その計器カバー２の延長部５２ａの差込穴５９に嵌入させる差込突起４９が形成されている。
【００４８】
このため、計器カバー１、２は、多面カバー４１や端子カバー５１をベース１１の両側から取り付ける際には、端子カバー５１の延長部５２ａの差込穴５９に多面カバー４１の正面部４３端辺４３ａの差込突起４９を嵌入させて安定した連結状態にすることができる。特に、多面カバー４１（右側面部４２、正面部４３、上面部４４）が１箇所の貫通穴１２に差込棒２２を差し込んで支持させるだけで不安定になることを回避して安定した取付状態にすることができる。なお、多面カバー４１は、ベース１１の上面１１ｔに上面部４４が接する状態にすることで安定させることもできる。
【００４９】
したがって、計器カバー１、２は、計器ケース１０の側面カバー２１と多面カバー３１をベース１１から外して、例えば、電力量計１００の接続端子台１０２の保護カバー１０３をさらに外して接続端子１１１〜１１３、１１５〜１１７に電線Ｃを接断する作業を行なう際に、ベース１１を共用してその電線Ｃの接断作業を補助することができる。すなわち、計器カバー１、２は、ベース１１を共通利用して多面カバー４１や端子カバー５１を安定した状態に取り付けることができ、電力量計１００の接続端子台１０２に隣接する端子カバー５１の開口部６１〜６３、６５〜６７が接続端子１１１〜１１３、１１５〜１１７にドライバなどの工具が同時に接触して短絡事故を発生させてしまうことを未然に回避することができる。また、仮に、本体部１０１内で短絡などの影響により火花が飛んだとしても、多面カバー４１などが作業者にその火花が当たってしまうことを制限することができ、作業用の脚立から落下することなく、安全かつ安心して作業することができる。
【００５０】
このように本実施形態においては、計器カバー１、２は、計器ケース１０のベース１１を共通利用して、電力量計１００の本体部１０１や接続端子台１０２の形状等に対応して隣接するように設計されている多面カバー４１や端子カバー５１を、そのベース１１の貫通穴１２に差込棒２２を嵌め合わせるように差し込むことで適切に取り付けることができる。透明材料の多面カバー４１では、本体部１０１などを含めて全体を目視して作業することができるように覆うとともに、端子カバー５１では、接続端子台１０２を覆って接続端子１１１〜１１３、１１５〜１１７への電線Ｃの接断作業を短絡事故などを発生することがないように補助することができる。したがって、短絡事故で停電させることがないように細心の注意を払うことなく、電力量計１００の接続端子台１０２への電線Ｃの接断作業を安全かつ容易に行なうことができる。
【００５１】
次に、図７〜図９は本発明に係る補助道具の第２実施形態を示す図である。ここで、本実施形態は上述実施形態と略同様な構成を有することから、同様の構成には同一の符号を付して特徴部分を説明する（以下で説明する他の実施形態においても同様）。
【００５２】
図７において、計器補助（補助道具）３は、上述実施形態と同様に、計器ケース１０のベース１１を共通部品として利用するように設計されており、ベース１１と、追加部材７１とで構成されている。追加部材７１は、電力量計１００の接続端子台１０２の左側面に対面して下方まで延長されている薄肉板形状の左側面部７２と、その接続端子台１０２の下面と平行に延長されて隣接する薄肉板形状の隣接部（隣接部材）７３とが、例えば、絶縁性を有する樹脂材料により一体になるように作製されている。この計器補助３の追加部材７１には、計器ケース１０の側面カバー２１と同様に、左側面部７２の内面にベース１１の左側面１１ｓｌ下部の貫通穴１２に差し込む差込棒２２が鉛直姿勢で立設されている。
【００５３】
さらに、この追加部材７１の隣接部７３には、電力量計１００の接続端子台１０２の接続端子１１１〜１１３、１１５〜１１７毎に隣接して、それぞれに接続する電線Ｃを下方から差込可能に下面側の開口する差込部（仮保持部）８１〜８３、８５〜８７が一体形成されている。この差込部８１〜８３、８５〜８７は、図８に差込部８１を図示するように、湾曲する板状の弾性部材８９が内部に収納されており、下面側の開口８１ａ〜８３ａ、８５ａ〜８７ａから差し込む電線Ｃを弾性部材８９が隣接部７３の内壁面７３ａに押し付けるように挟持して一定以上の力で抜き差し自在に仮保持できるようになっている。なお、この差込部８１〜８３には、商用電源側の一次側接続端子１１１〜１１３に対応していることを「電源側」の文字を赤色の名盤で明示する一方、差込部８５〜８７には、負荷装置側の二次側接続端子１１５〜１１７に対応していることを「負荷側」の文字を青色の名盤で明示して、接続ミスがないようにしている。
【００５４】
このため、計器補助３は、図９に示すように、追加部材７１をベース１１に左側から取り付けることにより電力量計１００の接続端子部１０２の下側に隣接部７３を隣接させてその接続端子１１１〜１１３、１１５〜１１７毎に対応する差込部８１〜８３、８５〜８７を準備することができる。その差込部８１〜８３、８５〜８７には、それぞれに接続する電源側と負荷装置側の電線Ｃを誤りなく非導通状態に仮保持することができ、それぞれに再度接続する場合にも、対応する電線Ｃを順次適切に接続端子部１０２の接続端子１１１〜１１３、１１５〜１１７に接続することができる。
【００５５】
したがって、計器補助３は、計器ケース１０の側面カバー２１と多面カバー３１をベース１１から外して、例えば、電力量計１００の接続端子台１０２の保護カバー１０３をさらに外して接続端子１１１〜１１３、１１５〜１１７に電線Ｃを接断する作業を行なう際に、ベース１１を共用してその電線Ｃの接断作業を補助することができる。すなわち、計器補助３は、ベース１１を共通利用して追加部材７１を取り付けることができ、接続端子台１０２の接続端子１１１〜１１３、１１５〜１１７に接続する電線Ｃを短絡させることや、誤った端子に接続してしまうことがないように、その接続作業を補助することができる。
【００５６】
このように本実施形態においては、計器補助３は、計器ケース１０とベース１１を共通利用して、電力量計１００の接続端子台１０２に対応するように設計されている追加部材７１を、そのベース１１の貫通穴１２に差込棒２２を嵌め合わせるように差し込むことで適切に取り付けることができる。このため、接続端子台１０２の接続端子１１１〜１１３、１１５〜１１７に対応するように配列されている追加部材７１の隣接部７３の差込部８１〜８３、８５〜８７に、電線Ｃをそれぞれ接続位置に対応させて仮保持することができる。したがって、接続端子台１０２の接続端子１１１〜１１３、１１５〜１１７への電線Ｃの接断作業を接続ミスがないように補助することができ、電力量計１００の接続端子台１０２への電線Ｃの接断作業を安全かつ容易に行なうことができる。
【００５７】
次に、図１０および図１１は本発明に係る補助道具の第３実施形態を示す図である。
図１０において、計器カバー（補助道具）４は、上述実施形態の計器カバー２と同様に、計器カバー１と共に、計器ケース１０のベース１１を共通部品として利用するように設計されており、ベース１１と、端子カバー９１とで構成されている。
【００５８】
端子カバー９１は、上述実施形態の端子カバー５１と同様に、左側面部５２と、正面部５３とを備えるとともに、上述実施形態の計器補助３と同様に、正面部５３に隣接するように隣接部７３が、例えば、絶縁性を有する樹脂材料により一体になるように作製されている。
【００５９】
このように本実施形態では、計器カバー４は、上述実施形態の計器カバー２と計器補助３を備えて双方を同時に機能させることができ、同様の作用効果を同時に得ることができる。したがって、接続端子台１０２の接続端子１１１〜１１３、１１５〜１１７への電線Ｃの接断作業を接続ミスがないように補助することができ、電力量計１００の接続端子台１０２への電線Ｃの接断作業を安全かつ容易に行なうことができる。
【００６０】
上述実施形態の他の第１の態様としては、電線Ｃを仮保持する隣接部７３の差込部８１〜８３、８５〜８７内には、湾曲板状の弾性部材８９に代えて、図１２に示すように、ゴム材料などからなる弾性部材９５を収納して電線Ｃを保持する構造としてもよい。弾性部材９５は、差込部８１〜８３、８５〜８７内に収納して接着剤などで外面を固着する角筒形状部９６と、角筒形状部９６の内面の均等な８方から中心に向かってリブ形状に延在する弾性リブ９７とが一体成形されており、弾性リブ９７は、差込部８１〜８３、８５〜８７の下面側の開口８１ａ〜８３ａ、８５ａ〜８７ａから奥側に向かって対向間隔を狭める傾斜辺９７ａを有して、その奥側の平行辺９７ｂの間隔が電線Ｃの導線ｗの線径よりも狭くなるように形成されている。この構成により、上述実施形態と同様に、図１３に示すように、差込部８１〜８３、８５〜８７には、傾斜辺９７ａ側から平行辺９７ｂの間に電線Ｃの導線ｗを押し込むように差し込んで弾性変形させることにより、電源側と負荷装置側の電線Ｃをそれぞれ誤りなく非導通状態に弾性部材９５仮保持させることができ、その電線Ｃをそれぞれ再度接続する場合には容易に引き抜いて順次適切に接続端子部１０２の接続端子１１１〜１１３、１１５〜１１７に接続することができる。
【００６１】
また、上述実施形態の第２の他の態様としては、電線Ｃを仮保持可能な差込部８１〜８３、８５〜８７を備える隣接部７３を、貫通穴１２を利用することなくベース１１に取り付けることができるようにしてもよい。この場合には、例えば、契約解除などで商用電力を供給する必要のなくなった負荷装置側の電線Ｃを、電力供給を再開するまで差込部８５〜８７に仮保持させた状態のまま計器ケース内に収納することもできる。
【産業上の利用可能性】
【００６２】
これまで本発明の一実施形態について説明したが、本発明は上述の実施形態に限定されず、その技術的思想の範囲内において種々異なる形態にて実施されてよいことは言うまでもない。
【符号の説明】
【００６３】
１、２、４……計器カバー      ３……計器補助      １０……計器ケース      １１……ベース      １１ｓｌ、１１ｓｒ……側面      １２……貫通穴      ２１……側面カバー      ２２……差込棒      ２５……案内バー      ２７……延長片      ３１、４１……多面カバー      ３２、４２……右側面部      ３３、４３、５３……正面部      ３４、４４……上面部      ３５……下面部      ３７……ロック片      ３７ａ……爪形状      ５１、９１……端子カバー      ５２、７２……左側面部      ６１〜６３、６５〜６７……開口部      ７１……追加部材      ７３……隣接部      ８１〜８３、８５〜８７……差込部      ８９、９５……弾性部材      １００……電力量計      １０１……本体部      １０２……接続端子台      １０３……保護カバー      Ｃ……電線
【図１】
0005420319.tif 000002
【図２】
0005420319.tif 000003
【図３】
0005420319.tif 000004
【図４】
0005420319.tif 000005
【図５】
0005420319.tif 000006
【図６】
0005420319.tif 000007
【図７】
0005420319.tif 000008
【図８】
0005420319.tif 000009
【図９】
0005420319.tif 000010
【図１０】
0005420319.tif 000011
【図１１】
0005420319.tif 000012
【図１２】
0005420319.tif 000013
【図１３】
0005420319.tif 000014
【図１４】
0005420319.tif 000015